(57)【要約】【課題】自動車整備工場等において、整備の対象となる自動車の座席が汚れてしまうのを確実に防ぎ、かつ使い勝手がよく、種々の大きさの車のシートに対応することを可能とする。【解決手段】自動車シートの頭部に被せられる袋状頭部10と、該袋状頭部の下方に連設され、自動車シートの背凭れを覆うように形成される背凭れ対応部20と、背凭れ対応部の裏面側において、背凭れ対応部の左右側縁部21,21に架け渡される、背凭れ固定ベルト40と、背凭れ対応部の下方に連設され、自動車シートの座面を覆うように形成される座面対応部30と、座面対応部に連設され、自動車シートの座面部の厚み部分を覆うように形成される座面左右側面対応部31,31及び座面前面対応部33と、座面左右側面対応部及び座面前面対応部の縁部に設けられたゴムシャーリング部35とを備える。【選択図】  図１
0003108009.tif 000002
【実用新案登録請求の範囲】
【請求項１】
自動車シートの頭部に被せられる袋状頭部と、
該袋状頭部の下方に連設され、自動車シートの背凭れを覆うように形成される背凭れ対応部と、
背凭れ対応部の裏面側において、背凭れ対応部の左右側縁部に架設される背凭れ固定ベルトと、
背凭れ対応部の下方に連設され、自動車シートの座面を覆うように形成される座面対応部と、
座面対応部に連設され、自動車シートの座面部の厚み部分を覆うように形成される座面左右側面対応部及び座面前面対応部と、
座面左右側面対応部及び座面前面対応部の縁部に設けられたＵ字状をなすゴムシャーリング部と、
を備えてなる自動車シート用整備用シートカバー。
【請求項２】
前記座面左右側面対応部の縁部に、ループ状係止部材を設けた、請求項１に記載の自動車シート用整備用シートカバー。
【請求項３】
前記ループ状係止部材は、ゴムシャーリング部を形成するゴム紐の一部を利用してループ状に形成されている、請求項２に記載の自動車シート用整備用シートカバー。
【請求項４】
前記背凭れ固定ベルトは、左右一対からなり、背凭れ対応部の左右側縁部それぞれに一端が固着され、他端が連結部によって互いに連結され、かつ長さ調節可能に構成されている、請求項１〜３のいずれかに記載の自動車シート用整備用シートカバー。
【請求項５】
前記背凭れ固定ベルトは、伸縮性を有する、請求項１〜３のいずれかに記載の自動車シート用整備用シートカバー。
【考案の詳細な説明】
【技術分野】
【０００１】
本考案は、自動車シート用整備用シートカバー、詳しくは自動車整備工場等において、整備、点検の対象となる自動車の座席（シート）を汚さないようにするため、その座席に一時的に装着して使用されるシートカバーに関する。
【背景技術】
【０００２】
自動車整備工場等において、整備、点検の対象となる自動車の座席を汚さないようにするため、その座席に一時的に整備用シートカバーを装着することが行われている。
このような整備用シートカバーとしては、自動車シートの頭部に被せられる袋状頭部と、該袋状頭部の下方に連設され、自動車シートの背凭れに対応する背凭れ対応部と、背凭れ対応部の下方に連設され、自動車シートの座面に対応する座面対応部とを備えたものが知られている。そして、この整備用シートカバーは、袋状頭部を自動車シートの頭部に被せて、あとの部分をシートの上に載るように垂らし、背凭れと座面部との隙間にシートカバーの一部を押し込んで使用している。
しかし、上記従来の整備用シートカバーにおいては、作業者の体重でシートカバーの座面対応部が中央に寄ってしまい、また作業者が乗り降りのため数回着座を繰り返すと、シートカバーがめくれあがり、これらにより自動車シートの一部が露出し、シートを汚してしまうことがある。また、シートカバーは汎用性をもたせるためワンサイズで構成されているため、シートカバーが座席よりはるかに大きい場合、シートカバーが床に着いてしまい、汚れることもあった。
【考案の開示】
【考案が解決しようとする課題】
【０００３】
本考案は、上記従来技術における不都合を考慮してなされたものであり、自動車整備工場等において、整備、点検の対象となる自動車の座席が汚れてしまうのを確実に防ぐことができ、しかも、ぴたりとした装着状態が得られ、使い勝手がよく、種々の大きさの車のシートに対応することが可能な自動車シート用整備用シートカバーを提供することを目的とする。
【課題を解決するための手段】
【０００４】
（１）自動車シートの頭部に被せられる袋状頭部と、
該袋状頭部の下方に連設され、自動車シートの背凭れを覆うように形成される背凭れ対応部と、
背凭れ対応部の裏面側において、背凭れ対応部の左右側縁部に架設される背凭れ固定ベルトと、
背凭れ対応部の下方に連設され、自動車シートの座面を覆うように形成される座面対応部と、
座面対応部に連設され、自動車シートの座面部の厚み部分を覆うように形成される座面左右側面対応部及び座面前面対応部と、
座面左右側面対応部及び座面前面対応部の縁部に設けられたＵ字状をなすゴムシャーリング部と、
を備えてなる自動車シート用整備用シートカバーである。
（２）前記座面左右側面対応部の縁部に、ループ状係止部材を設けた、請求項１に記載の自動車シート用整備用シートカバーである。
（３）前記ループ状係止部材は、ゴムシャーリング部を形成するゴム紐の一部を利用してループ状に形成されている、請求項２に記載の自動車シート用整備用シートカバーである。
（４）前記背凭れ固定ベルトは、左右一対からなり、背凭れ対応部の左右側縁部それぞれに一端が固着され、他端が連結部によって互いに連結され、かつ長さ調節可能に構成されている、請求項１〜３のいずれかに記載の自動車シート用整備用シートカバーである。この場合、背凭れ固定部ベルトは、伸縮性を有しない素材で構成するのが好ましい。
（５）前記背凭れ固定ベルトは、伸縮性を有する、請求項１〜３のいずれかに記載の自動車シート用整備用シートカバーである。
【考案の効果】
【０００５】
（１）請求項１に係る考案によれば、袋状頭部は自動車シートの頭部に被せられ、背凭れ対応部は、背凭れを覆うとともに、シートの背面において、背凭れ対応部の左右側縁部に架け渡される背凭れ固定ベルトによって、所定位置に確実に保持され、背凭れ対応部のズレやめくれあがりを防ぐ。
座面対応部は自動車シートの座面を覆い、座面対応部に連設された座面左右側面対応部及び座面前面対応部が自動車シートの座面部の厚み部分を覆って自動車シートの座面がシートカバーによってくるまれるとともに、座面左右側面対応部及び座面前面対応部の縁部に設けられたＵ字状をなすゴムシャーリング部が、自動車シートの座面部の厚み部分の下側に位置して座面対応部をシートの所定位置に確実に保持し、座面対応部のズレや裾のめくれあがりを防ぐ。
したがって、自動車整備工場等において、整備、点検の対象となる自動車の座席が汚れてしまうのを確実に防ぐことができ、しかも、ぴたりとした装着状態が得られ、座りやすく、使い勝手がよく、種々の大きさの車のシートに対応することが可能となる。
（２）請求項２に係る考案によれば、前記座面左右側面対応部の縁部に、ループ状係止部材を設けたので、このループ状係止部材を、自動車シートの角度調整用レバー等の突起に係止することにより、座面対応部をシートの所定位置によりいっそう確実に保持し、座面対応部のズレや裾のめくれあがりを防ぐことができる。また、ループ状係止部材は、左右それぞれに設けられているため、これが係止される突起部が片側にのみにあって、しかも運転席と助手席とで逆の位置にある場合でも、運転席と助手席の双方に対し、装着固定することができる利点がある。
（３）請求項３に係る考案によれば、前記ループ状係止部材は、ゴムシャーリング部を形成するゴム紐の一部を利用してループ状に形成されているため、自動車シートの角度調整用レバー等の突起を傷つけることなく、また、車により異なる様々な突起の位置に対応することができる。また、別途、特別の部材を使用する必要がなく、製作が簡便であり、経済的である。
（４）請求項４に係る考案によれば、前記背凭れ固定ベルトは、左右一対からなり、背凭れ対応部の左右側縁部それぞれに一端が固着され、他端が連結部によって互いに連結され、かつ長さ調節可能に構成されているため、種々のサイズのシートに柔軟に対応することができ、かつ最も良好な装着状態が得られる。
（５）請求項５に係る考案によれば、前記背凭れ固定ベルトは、伸縮性を有するため、種々のサイズのシートに柔軟に対応することができ、シートへの装着も簡便である。
【考案を実施するための最良の形態】
【０００６】
本考案の好ましい実施の形態について実施例を挙げ、図面を参照して説明する。なお、各図において同じ要素には同じ符号を用い、適宜その説明を省略する場合がある。
【実施例１】
【０００７】
図１は実施例１に係る自動車シート用整備用シートカバーを広げた状態の、（ａ）は正面図、（ｂ）は背面図、（ｃ）は（ｂ）のｃ−ｃ端面図、（ｄ）は（ｂ）のｄ−ｄ端面図、図２は同自動車シート用整備用シートカバーの装着状態を示す側面図、図３は同自動車シート用整備用シートカバーの装着状態を示す背面図である。
【０００８】
自動車シート用整備用シートカバー１は、ポリエステル、ナイロン等の合成繊維布あるいは綿等の布を用いて裁断して形成されている。
自動車シート用整備用シートカバー１は、自動車シートの頭部に被せられる袋状頭部１０と、該袋状頭部１０の下方に連設され、自動車シートの背凭れを覆うように形成される背凭れ対応部２０と、背凭れ対応部２０の下方に連設され、自動車シートの座面を覆うように形成される座面対応部３０と、座面対応部３０に連設され、自動車シートの座面部の厚み部分を覆うように形成される座面左右側面対応部３１，３１及び座面前面対応部３３とを有しており、これらの各部は一体化されてなる。通常、一枚の布を用いて形成される。各部の境界部を便宜上、破線で表示している。
【０００９】
袋状頭部１０は、自動車シートの頭部（ヘッドレスト）に被せられるよう、袋状に形成されている。
該袋状頭部１０の下方に連設される背凭れ対応部２０は、自動車シートの背凭れを覆うよう、一般的な大きさの自動車のシート寸法よりも縦長さ及び横幅ともにやや大きめに形成されている。その横幅（図１（ａ）のＷ１に図１（ｂ）のＷ２×２を足した長さ）は、一般的な大きさの自動車のシートの背凭れの巾にその背凭れの厚みを加えた長さよりもやや大きく形成されているものが好ましい。
【００１０】
背凭れ対応部２０の裏面側において、背凭れ対応部２０の左右側縁部２１，２１に架け渡される、背凭れ固定ベルト４０が設けられている。背凭れ対応部２０の左右側縁部２１，２１や袋状頭部の１０の背面側縁部には、ゴムシャーリングは施されていない。
背凭れ固定ベルト４０は、例えば、左右一対の帯状部材４１，４１からなり、背凭れ対応部２０の左右側縁部２１，２１それぞれに一端が固着され、他端において連結部４３によって互いに連結可能に構成される。連結部４３は、例えば、一方が他方に着脱自在に挿入係止されるワンタッチ式のバックル等の連結具を用いることができ、この場合、長さ調節は、帯状部材４１が通る（一般の荷物バッグの吊り下げベルトに用いられるような）日の字状の長さ調節機構４５によって行うことができる。
これにより、帯状部材４１，４１の他端が連結部４３によって互いに連結され、かつ長さ調節可能に構成されているため、種々のサイズのシートに柔軟に対応することができ、かつ最も良好な装着状態が得られる。
また、帯状部材４１，４１の他端に面ファスナーを設け、これを連結部４３としてもよい（図示省略）。この場合、長さ調節は、面ファスナーの横方向長さの範囲で任意に調節可能である。その他、連結部４３の構成は必要に応じて選択することができる。
【００１１】
また、上記の帯状部材４１，４１は、伸縮性を有しない素材の場合の構成として好ましい態様であるが、これに代えて背凭れ固定ベルト４０を、伸縮性を有する素材、例えば、平ゴムような収縮性をもつ素材で構成することにより、これを背凭れ対応部２０の左右側縁部２１，２１に架け渡して固定することにより、連結部（連結具）を省略することができる。この場合、背凭れ固定ベルト４０を含み、袋状頭部１０をシートの上方から被せて使用することとなる。背凭れ固定ベルト４０は、伸縮性を有するため、種々のサイズのシートに柔軟に対応することができ、シートへの装着も簡便である。
【００１２】
背凭れ対応部２０の下方に連設される座面対応部３０は、自動車シートの座面を覆うよう、一般的な大きさの自動車のシート寸法よりも縦長さ（奥行）及び横巾ともにやや大きめに形成されている。そして、座面対応部３０に連設され、自動車シートの座面部の厚み部分を覆うように形成される座面左右側面対応部３１，３１及び座面前面対応部３３の縁部にはＵ字状をなすゴムシャーリング部３５が設けられており、これにより、装着時、座面左右側面対応部及び座面前面対応部の縁部に設けられたゴムシャーリング部３５が、自動車シートの座面部の厚み部分の下側に位置して収縮し、座面対応部３０をシートの所定位置に確実に保持し、座面対応部３０のズレや裾のめくれあがりを防ぐ。
【００１３】
また、座面左右側面対応部３１，３１の縁部には、ループ状係止部材５０を設けおり、このループ状係止部材５０を、自動車シートの角度調整用レバー等の突起に係止することにより、座面対応部３０をシートの所定位置によりいっそう確実に保持し、座面対応部３０のズレや裾のめくれあがりを防ぐことができる。ループ状係止部材５０は、好ましくは、柔軟な可撓性素材、さらに好ましくはゴム紐等の収縮性をもつ素材で構成するとよい。これにより、自動車シートの角度調整用レバー等の突起を傷つけることなく、また、車により異なる様々な突起の位置に対応することができる。ループ状係止部材５０をゴム紐で構成する場合、ゴムシャーリング部３５を形成するゴム紐の一部を利用して（例えばゴムシャーリング部の端部位置に）ループ状に形成すれば、別途、特別の部材を使用する必要がなく、製作が簡便であり、経済的である。
【００１４】
図２及び図３は、自動車シート用整備用シートカバー１の装着状態を示す例示する図である。
自動車シート用整備用シートカバー１を、自動車シート７０に装着するには、先ず、上方から袋状頭部１０を自動車シートの頭部７１（ヘッドレスト）に被せ、整備用シートカバー１を下方に伸ばし、座面左右側面対応部３１，３１及び座面前面対応部３３の縁部に設けたゴムシャーリング部３５を、自動車シートの座面部７３の厚み部分の下側に位置させて離す。そうすると、ゴムシャーリング部３５の収縮力によって、整備用シートカバー１は、自動車シートの座面部７３及びその厚み部分を覆うようにして所定位置に固定される。さらに、ループ状係止部材５０を、自動車シートの角度調整用レバー等の突起７７に係止する。
また、背凭れ固定ベルト４０が、左右一対からなり、背凭れ対応部２０の左右側縁部２１，２１それぞれに一端が固着され、他端が連結部４３によって互いに連結されるものである場合は、図３に示すように、背凭れ固定ベルト４０を連結部４３で連結し、長さ調節機構４５を適宜使用して締める。これによって、背凭れ対応部２０は、シートの背凭れ７２及びその側面７２ａを覆う状態となって、シート７０に確実に固定される。
使用が終わった後は、上記と逆の順序を踏むことによって、整備用シートカバー１をシート７０から簡単に離脱することができる。
【００１５】
以上、好ましい実施例を挙げて本考案の実施の形態を説明したが、本考案は上記した実施例に限定されるものではなく、本考案の要旨の範囲で適宜、付加、変形等なし得るものである。
【図面の簡単な説明】
【００１６】
【図１】実施例１に係る自動車シート用整備用シートカバーを広げた状態の、（ａ）は正面図、（ｂ）は背面図、（ｃ）は（ｂ）のｃ−ｃ端面図、（ｄ）は（ｂ）のｄ−ｄ端面図である。
【図２】同自動車シート用整備用シートカバーの装着状態を示す側面図である。
【図３】同自動車シート用整備用シートカバーの装着状態を示す背面図である。
【符号の説明】
【００１７】
１  自動車シート用整備用シートカバー
１０  袋状頭部
２０  背凭れ対応部
２１  背凭れ対応部の左右側縁部
３０  座面対応部
３１  座面左右側面対応部
３３  座面前面対応部
３５  ゴムシャーリング部
４０  背凭れ固定ベルト
４３  連結部
５０  ループ状係止部材
【図１】
0003108009.tif 000003
【図２】
0003108009.tif 000004
【図３】
0003108009.tif 000005